(57)【特許請求の範囲】
【請求項１】
表面シート、裏面シート及びこれら両シート間に配された吸収体を具備する縦長の吸収性物品であって、
前記表面シート側から平面視して、該表面シートに前記吸収性物品の前方に拡開したＵ字状の装着目印を有し、
拡開したＵ字状の前記装着目印は、該装着目印の前方側の両端部が、前記吸収性物品を折り曲げて個装する際に形成される前方寄りの折り線よりも前方に位置し、長手方向両側部に向けて形成され、且つ前記吸収体の前方側の前端部に達しない位置に形成されており、前記目印の後方側の端部が、前記吸収性物品の幅方向中央領域に形成されており、
前記吸収性物品は、該吸収性物品の長手方向両側部それぞれに、前記表面シートと前記吸収体とを圧縮して形成される防漏溝を具備しており、
拡開したＵ字状の前記装着目印は、前記防漏溝と離間して形成されている吸収性物品。
【請求項２】
拡開したＵ字状の前記装着目印全体が、前方寄りの前記折り線よりも前方に形成されており、該装着目印の前方側の前記両端部それぞれは、直線状に形成されている請求項１に記載の吸収性物品。
【請求項３】
拡開したＵ字状の前記装着目印は、前記表面シートに印刷、溝加工を、単独又は併用して施し形成されている請求項１又は２に記載の吸収性物品。
【請求項４】
拡開したＵ字状の前記装着目印は、該装着目印の前方側の前記両端部それぞれが、前記吸収性物品の周縁シール部の端部に及んでおり、表面シートに印刷されて形成されており、該両端部以外の前記装着目印の部分が溝加工を施し形成されている請求項１〜３の何れか１項に記載の吸収性物品。
【請求項５】
請求項１〜４の何れか１項に記載の吸収性物品の裏面シートの外表面に、粘着材を介して該吸収性物品よりも大きい個装フィルムが貼り付けられて、該吸収性物品と該個装フィルムとが一体的に前後の折り線で三つ折りされた個装体であって、該折畳まれている個装体の最初に開封される側の表面シートに、前記拡開したＵ字状の装着目印が施されている個装体。
【発明の詳細な説明】
【技術分野】
【０００１】
本発明は、生理用ナプキン、パンティライナー（おりものシート）、失禁パッド等の吸収性物品に関する。
【背景技術】
【０００２】
一般に、生理用ナプキンをショーツに取り付ける際には、着用者はショーツを膝上あたりまでショーツを引き上げた状態で脚を開いてショーツを拡幅し、ショーツのクロッチ部の中央と生理用ナプキンの排泄部領域とが一致するようにしてショーツに生理用ナプキンを取り付ける。このように生理用ナプキンをショーツに取り付ける場合、着用者から見て、ショーツのクロッチ部の縫合部分が生理用ナプキンで隠れてしまい、ショーツのクロッチ部の中央と生理用ナプキンの排泄部領域とを一致させることが難しい。例えば、ショーツのクロッチ部の中央と生理用ナプキンの排泄部領域とがズレていると、体液漏れが起こり易い。
【０００３】
ところで、特許文献１には、液体不浸透性の衣服に面する層に、硬化される要素から成る順応させる手段を配した生理用ナプキンが開示されている。しかし、特許文献１には、この順応させる手段を、ショーツのクロッチ部に生理用ナプキンを取り付ける際の目印に利用することについては何ら記載されていない。また、特許文献１に記載の生理用ナプキンの有する順応させる手段は、前方のみならず、後方にも配されている為、ショーツのクロッチ部に生理用ナプキンを取り付ける際の目印に利用することを想定していない。また、特許文献１に記載の生理用ナプキンの有する順応させる手段は、前後を区別して目印として認識する事ができず、また前方の先端近くに寄っており、ショーツのクロッチ部に生理用ナプキンを取り付ける際の目印に利用することはできない。
【０００４】
また、特許文献２には、前方側に向かって突出した略傘形状の前端独立溝が形成された生理用ナプキンが開示されている。しかし、特許２には、この略傘形状の前端独立溝を、ショーツのクロッチ部に生理用ナプキンを取り付ける際の目印に利用することについては何ら記載されていない。また、特許文献２に記載の生理用ナプキンの有する前端独立溝は、前方側に向かって突出した形状であるため、ショーツのクロッチ部に生理用ナプキンを取り付ける際の目印に利用することはできない。
【先行技術文献】
【特許文献】
【０００５】
【特許文献１】特開平１０−２２５４８０号公報
【特許文献２】特開２０１０−８２０５９号公報
【発明の概要】
【発明が解決しようとする課題】
【０００６】
従って、本発明の課題は、前述した従来技術が有する欠点を解消し得る吸収性物品を提供することにある。
【課題を解決するための手段】
【０００７】
本発明は、表面シート、裏面シート及びこれら両シート間に配された吸収体を具備する縦長の吸収性物品であって、前記表面シート側から平面視して、該表面シートに前記吸収性物品の前方に拡開したＵ字状の装着目印を有し、拡開したＵ字状の前記装着目印は、該装着目印の前方側の両端部が、前記吸収性物品を折り曲げて個装する際に形成される前方寄りの折り線よりも前方に位置し、長手方向両側部に向けて形成され、且つ前記吸収体の前方側の前端部に達しない位置に形成されており、前記目印の後方側の端部が、前記吸収性物品の幅方向中央領域に形成されている吸収性物品を提供するものである。
【発明の効果】
【０００８】
本発明の吸収性物品によれば、生理用ナプキンをショーツに取り付ける際に、ショーツのクロッチ部の中央と生理用ナプキンの排泄部領域とを一致させ易く、体液漏れが起こり難い。
【図面の簡単な説明】
【０００９】
【図１】図１は、本発明の第１実施形態である生理用ナプキンを表面シート側から見た平面図である。
【図２】図２は、図１のＹ１−Ｙ１線断面図である。
【図３】図３は、図１に示す生理用ナプキンを下着のクロッチ部に取り付ける際の取付説明図である。
【図４】図４は、本発明の第２実施形態である生理用ナプキンを表面シート側から見た平面図である（図１相当図）。
【図５】図５（ａ）は、図４のＹ２−Ｙ２線断面図であり、図５（ｂ）は、図４のＹ３−Ｙ３線断面図である。
【図６】図６は、本発明の第３実施形態である生理用ナプキンを表面シート側から見た平面図である（図１相当図）。
【図７】図７は、図６のＹ４−Ｙ４線断面図である。
【図８】図８は、本発明のその他の実施形態である生理用ナプキンの有するＵ字状の装着目印の平面図である。
【発明を実施するための形態】
【００１０】
以下本発明をその好ましい実施形態に基づき図面を参照しながら説明する。
本発明の吸収性物品の第１実施形態である生理用ナプキン１Ａ（以下、ナプキン１Ａともいう）は、図１〜図３に示すように、表面シート２、裏面シート３及びこれら両シート２，３間に配された吸収体４を具備する縦長の本体部５を有する。
ナプキン１Ａは、図１に示すように、ナプキン１Ａの長手方向に延びる中心線ＣＬに対して左右対称に形成されている。
本明細書において、「肌対向面」とは、本体部５などの各部材の表裏両面のうち、着用時に着用者の肌側に配される面であり、「非肌対向面」とは、本体部５などの各部材の表裏両面のうち、着用時に着用者の肌側とは反対側に向けられる面である。
【００１１】
本体部５は、図１中Ｘ方向に長い形状を有し、その裏面には、該本体部５を、ショーツ１０のクロッチ部１００の肌対向面（着用者の肌側に向けられる面）に固定するための本体粘着部６（図２参照）が形成されている。ここで、図中のＸ方向とは、ナプキン１Ａ又は本体部５の長手方向と同方向であり、中心線ＣＬに平行な方向である。また、図中のＹ方向とは、ナプキン１Ａ又は本体部５の幅方向と同方向であり、中心線ＣＬに垂直な方向である。
【００１２】
本体部５は、図１に示すように、着用者の液排出部（膣口等）に対向配置される領域である排泄部領域Ａ、ナプキン１Ａの着用時に排泄部領域Ａより着用者の腹側に配される前方部Ｂ、及びナプキン１Ａの着用時に排泄部領域Ａよりも着用者の背中側に配される後方部Ｃを有している。ここで、「排泄部領域Ａ」とは、ナプキン１Ａのように、所謂ウイング部を有していない場合には、生理用ナプキンが個装形態に折り畳まれた際に生じるＸ方向に直交する２つの折り線で囲まれた領域を意味し、図１に示すナプキン１Ａのように２つの折り線が生じる場合には、Ｘ方向の前方寄りの折り線１１と後方寄りの折り線１２とで囲まれる領域を意味する。また、生理用ナプキンの製品長が長く３つの折り線が生じる場合には、Ｘ方向の前端から数えて第１折り線と第２折り線とに囲まれた領域、又はＸ方向の前端から数えて第１折り線と第３折り線とに囲まれた領域を意味する。尚、所謂ウイング部を有している場合には、「排泄部領域Ａ」とは、ウイング部の位置する領域を意味する。
【００１３】
本体部５は、図２に示すように、液透過性の表面シート２、液不透過性又は撥水性の裏面シート３及びこれら両シート間に配された液保持性の吸収体４を具備する。表面シート２、裏面シート３及び吸収体４は、何れも、本体部５の長手方向（Ｘ方向）に長い縦長の形状を有しており、ナプキン１Ａにおいては、表面シート２と裏面シート３とが同形同大に形成されている。
【００１４】
表面シート２は、図１に示すように、本体部５の排泄部領域Ａ、前方部Ｂ及び後方部Ｃそれぞれにおいて、本体部５の輪郭と一致する輪郭を有している。裏面シート３も、表面シート２と同様に、図１に示すように、本体部５の排泄部領域Ａ、前方部Ｂ及び後方部Ｃそれぞれにおいて、本体部５の輪郭と一致する輪郭を有している。
【００１５】
ナプキン１Ａにおいては、図１に示すように、表面シート２と裏面シート３とが、表面シート２の周縁部及び裏面シート３の周縁部それぞれに沿って、熱エンボス加工によって接合されており、ナプキン１Ａの周縁部に周縁シール部７を形成している。
尚、ナプキン１Ａにおいては、周縁シール部７が熱エンボス加工により形成されているが、超音波シールにより形成されていてもよく、ホットメルト等の接着剤等により形成されていてもよい。装着（使用）時の違和感の緩和とシールの固定安定性の観点から、周縁シール７は熱エンボス加工とホットメルトの併用で形成されていることが好ましい。
【００１６】
吸収体４は、図１に示すように、本体部５の長手方向（Ｘ方向）に沿って延びる両側縁４１，４１を有し、本体部５の前方部Ｂ及び後方部Ｃそれぞれにおける吸収体４の前方側の前端部４ｂ及び後方側の後端部４ｃそれぞれは、ナプキン１Ａ（本体部５）の前後端部よりやや内側に位置して湾曲形状を有している。
【００１７】
ナプキン１Ａは、図１に示すように、表面シート２側から平面視して、表面シート２に長手方向（Ｘ方向）の前方に拡開したＵ字状の装着目印８を有している。拡開したＵ字状の装着目印８は、中心線ＣＬに対して左右対称に形成されている。拡開したＵ字状の装着目印８は、図１に示すように、装着目印８の前方側の両端部８ｂ，８ｂが、ナプキン１Ａを折り曲げて個装する際に形成される前方寄りの折り線１１よりも前方に位置し、長手方向（Ｘ方向）両側部５ｓ，５ｓに向けて形成されている。拡開したＵ字状の装着目印８は、ナプキン１Ａにおいては、両端部８ｂ，８ｂのみならず、Ｕ字状の装着目印８全体が前方寄りの折り線１１よりも前方に形成されている。
【００１８】
拡開したＵ字状の装着目印８は、図１に示すように、装着目印８の前方側の両端部８ｂ，８ｂが、吸収体４の前方側の前端部４ｂに達しない位置に形成されており、ナプキン１Ａにおいては、湾曲形状の前方側の前端部４ｂに達しない位置に形成されている。また、装着目印８の前方側の両端部８ｂ，８ｂは長手方向（Ｘ方向）両側部５ｓ，５ｓに向けて形成されているが、ナプキン１Ａにおいては、それらの先端が、周縁シール部７に接する位置まで延在しておらず、吸収体４の側縁４１と周縁シール部７との間の位置に配されている。後述するように、ナプキン１ＡのＵ字状の装着目印８は、溝加工により形成された溝であるが、周縁シール部７に接する位置まで延在していないので、体液が溝を伝わって漏れる伝い漏れを防止することができる。このような伝い漏れを防止する観点からは、装着目印８の前方側の両端部８ｂ，８ｂの先端が、吸収体４の側縁４１に接する位置まで延在していない方が更に好ましい。尚、ナプキン１Ａのように周縁シール部７を有していない場合には、伝い漏れを防止する観点から、装着目印８の前方側の両端部８ｂ，８ｂの先端が、ナプキン１Ａ（本体部５）の長手方向（Ｘ方向）の側縁５１から５ｍｍ以上離れていることが好ましく、１０ｍｍ以上離れていることが更に好ましい。
【００１９】
ナプキン１Ａにおいては、図１に示すように、装着目印８の前方側の両端部８ｂ，８ｂそれぞれが直線状に形成されている。図１に示すように、装着目印８の左側の端部８ｂと、中心線ＣＬに平行な仮想直線とのなす角αは、ナプキン装着時にショーツ（下着）の前方側の足ぐり形状に合わせ（目視的に延長線上にあることによって）取付けを容易とする観点から、５０〜７０°であることが好ましく、５５〜６５°であることが更に好ましい。
【００２０】
拡開したＵ字状の装着目印８の後方側の端部８ｃは、ナプキン１Ａ（本体部５）の幅方向（Ｙ方向）央領域に形成されている。
図１に示すように、装着目印８の前方側の端部８ｂと後方側の端部８ｃとの間隔ｄ１は、１５〜２５ｍｍであることが好ましく、２５〜３０ｍｍであることが更に好ましい。
図１に示すように、装着目印８の前方側の両端部８ｂ，８ｂ同士の間隔ｄ２は、後述する一対の防漏溝９同士の間隔よりも広いことが好ましく、具体的には、５０〜８０ｍｍであることが好ましく、６０〜７０ｍｍであることが更に好ましい。
【００２１】
拡開したＵ字状の装着目印８は、ナプキン１Ａにおいては、溝加工単独で形成されている。具体的には、拡開したＵ字状の装着目印８は、表面シート２と吸収体４とを熱エンボス加工により一体的に圧縮して形成されている。拡開したＵ字状の装着目印８の溝幅Ｗ１は、２〜３ｍｍであることが好ましく、３〜５ｍｍであることが更に好ましい。
【００２２】
ナプキン１Ａは、図１に示すように、ナプキン１Ａの長手方向（Ｘ方向）両側部それぞれに、表面シート２と吸収体４とを圧縮して形成される防漏溝９を備えている。ナプキン１Ａにおいては、図１に示すように、ナプキン１Ａの側部に、排泄部領域Ａから後方部Ｃに亘って延在する、表面シート２と吸収体４とを熱エンボス加工により一体的に圧縮して形成された防漏溝９を一対備えている。一対の防漏溝９それぞれは、図１に示すように、幅方向（Ｙ方向）外方に凸状に形成されている。
【００２３】
ナプキン１Ａにおいては、図１に示すように、拡開したＵ字状の装着目印８が一対の防漏溝９と離間して形成されている。拡開したＵ字状の装着目印８と防漏溝９との間隔ｄ３は、２〜３ｍｍであることが好ましく、１〜２ｍｍであることが更に好ましい。
【００２４】
上述したナプキン１Ａの形成材料について説明する。
表面シート２、裏面シート３、吸収体４としては、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液不透過性又は撥水性の樹脂フィルムや樹脂フィルムと不織布の積層体等を用いることができる。吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。
【００２５】
また、ナプキン１Ａにおいては、本体部５における吸収体４と裏面シート３との間も接着剤によって接合することが好ましい。この接着剤は、スパイラルパターン等のパターン塗工によって低坪量に塗工することが好ましい。
【００２６】
上述した本発明の吸収性物品の第１実施形態であるナプキン１Ａ（以下、「ナプキン１Ａ」ともいう。）を使用した際の作用効果について説明する。
ナプキン１Ａは、図１に示すように、前方方向に拡開した拡開したＵ字状の装着目印８を有しており、拡開したＵ字状の装着目印８は、装着目印８の両端部８ｂ，８ｂが前方寄りの折り線１１よりも前方に形成され、且つ吸収体４の前方側の前端部４ｂに達しない位置に形成されており、装着目印８の後方側の端部８ｃが幅方向（Ｙ方向）中央領域に形成されている。その為、図３に示すように、ナプキン１Ａをショーツ１０に取り付ける際に、着用者がショーツを膝上あたりまでショーツを引き上げた状態で脚を開いてショーツ１０を拡幅し、次いで、着用者の両脚の内側それぞれと、装着目印８の両端部８ｂ，８ｂそれぞれとが接するように、ショーツ１０のクロッチ部１００上にナプキン１Ａを配すると、ショーツ１０のクロッチ部１００の中央とナプキン１Ａの排泄部領域Ａとを一致させることができる。このように、着用者から見て、ショーツ１０のクロッチ部１００がナプキンで隠れてしまっても、ナプキン１Ａを用いれば、上記手順により、ショーツ１０のクロッチ部１００の中央とナプキン１Ａの排泄部領域Ａとを一致させることが容易にでき、体液漏れが起こり難い。
【００２７】
また、ナプキン１Ａの有する拡開したＵ字状の装着目印８全体が、図１に示すように、前方寄りの折り線１１よりも前方に形成されているので、ナプキン１Ａを個装から取り出さず、手で触れないように、折り線１１よりも前方の部分だけを開いた状態で、上述したように、ショーツ１０のクロッチ部１００上にナプキン１Ａを取り付けることができるので、衛生的である。また、ナプキン１Ａの有する拡開したＵ字状の装着目印８は、図１に示すように、前方側の両端部８ｂ，８ｂそれぞれが直線状に形成されているので、図３に示すように、ナプキン１Ａをショーツ１０に取り付ける際に、着用者の両脚の内側それぞれと装着目印８の両端部８ｂ，８ｂそれぞれとが接するように配し易い。
【００２８】
また、ナプキン１Ａの有する拡開したＵ字状の装着目印８は、図１に示すように、防漏溝９と離間して形成されているので、目印としての視認性（識別性）が向上し、装着時における位置あわせを容易とすることができる。また、この離間位置に個装における折畳みによる折り線１１を配すると、折り畳み易いだけでなく、装着目印８がより明瞭に認識可能となる。また、折り畳みによる目印構造の乱れ（折りズレ）を防止し、装着目印８に跨る折り線１１による位置合せの困難さを解消できる。
【００２９】
次に、本発明の吸収性物品の第２実施形態である生理用ナプキン１Ｂについて、図４〜図５に基づいて説明する。
第２実施形態の生理用ナプキン１Ｂ（以下、「ナプキン１Ｂ」ともいう）については、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００３０】
ナプキン１Ｂは、図４及び図５（ｂ）に示すように、表面シート２、裏面シート３及びこれら両シート２，３間に配された吸収体４を具備する縦長の本体部５及び該本体部５の両側縁５１，５１から延出する一対のウイング部１３，１３を有する。
本体部５は、図５（ａ），図５（ｂ）に示すように、その裏面に、該本体部５を、ショーツのクロッチ部１００の肌対向面（着用者の肌側に向けられる面）に固定するための本体粘着部６が形成されており、ウイング部１３の裏面には、図５（ｂ）に示すように、各ウイング部１３を、ショーツのクロッチ部１００（図３参照）の非肌対向面（着用者の肌側とは反対側に向けられる面）に固定するためのウイング部粘着部１３１が形成されている。
【００３１】
本体部５は、図１に示すように、ウイング部１３，１３の位置する領域である排泄部領域Ａ、ナプキン１Ａの着用時に排泄部領域Ａより着用者の腹側に配される前方部Ｂ、及びナプキン１Ａの着用時に排泄部領域Ａよりも着用者の背中側に配される後方部Ｃを有している。  表面シート２、裏面シート３及び吸収体４は、何れも、本体部５の長手方向（Ｘ方向）に長い縦長の形状を有している。
【００３２】
ナプキン１Ｂの表面シート２及び裏面シート３それぞれは、本体部５の前方部Ｂ及び後方部Ｃにおいては、本体部５の輪郭と一致する輪郭を有しており、本体部５の排泄部領域Ａにおいては、前方部Ｂ及び後方部Ｃにおける表面シート２の両側縁の位置と同じ位置となるように形成されている。
【００３３】
ナプキン１Ｂにおける一対のウイング部１３は、図５（ｂ）に示すように、表面シート２及び裏面シート３とは別体の一対のウイング部形成材１３２を用い、それぞれ、本体部５側に位置する一側縁１３２ｄ側が、表面シート２と裏面シート３との間に固定され、他側縁１３２ｅ側が、表面シート２の側縁２１及び裏面シート３の側縁のそれぞれより外方（Ｘ方向の外方）に延出するように配されて形成されている。本体部５の幅方向（Ｙ方向）外方側に配される他側縁（外側縁）１３２ｅが、ウイング部１３の輪郭に一致する形状を有している。ウイング部形成材１３２と、表面シート２及び裏面シート３との固定は、熱エンボス、超音波シール、ホットメルト等の接着剤等を用いて行う。
【００３４】
ナプキン１Ｂは、図４に示すように、表面シート２側から平面視して、表面シート２に長手方向（Ｘ方向）の前方に拡開したＵ字状の装着目印８を有している。拡開したＵ字状の装着目印８は、中心線ＣＬに対して左右対称に形成されている。拡開したＵ字状の装着目印８は、図４に示すように、装着目印８の前方側の両端部８ｂ，８ｂが、前方寄りの折り線１１よりも前方に位置し、長手方向（Ｘ方向）両側部５ｓ，５ｓに向けて形成されている。ナプキン１Ｂにおいては、拡開したＵ字状の装着目印８の後方側の端部８ｃは、前方寄りの折り線１１と接する位置に形成されている。
【００３５】
拡開したＵ字状の装着目印８は、図４に示すように、装着目印８の前方側の両端部８ｂ，８ｂが、吸収体４の前方側の前端部４ｂに達しない位置に形成されており、ナプキン１Ｂにおいては、装着目印８の前方側の両端部８ｂ，８ｂそれぞれが、ナプキン１Ｂの周縁シール部７の端部に及んでいる。詳述すると、装着目印８の前方側の両端部８ｂ，８ｂそれぞれの先端が、周縁シール部７を越えて、ナプキン１Ｂの幅方向（Ｙ方向）端部、即ち、本体部５の長手方向（Ｘ方向）の側縁５１に達する位置まで延びて形成されている。後述するように、ナプキン１Ｂの拡開したＵ字状の装着目印８は、印刷により形成された目印であり、図５（ａ）に示すように、第１実施形態のナプキン１Ａの目印のような溝でないため、側縁５１に接する位置まで延在していても、体液が溝を伝わって漏れる伝い漏れがそもそも発生しない。
【００３６】
ナプキン１Ｂにおいては、図４に示すように、装着目印８の前方側の両端部８ｂ，８ｂそれぞれが直線状に形成されているが、その幅Ｗ２は同一の幅に形成されていない。具体的には、ナプキン１Ｂの装着目印８は、後方側の端部８ｃから前方側の両端部８ｂ，８ｂに向かって、その幅Ｗ２が漸次広くなるように形成されている。拡開したＵ字状の装着目印８の溝幅Ｗ２は、後方側の端部８ｃにおいては、２〜５ｍｍであることが好ましく、前方側の端部８ｂにおいては、３〜８ｍｍであることが好ましい。
拡開したＵ字状の装着目印８は、ナプキン１Ａにおいては、印刷単独で形成されている。印刷方法としては、各種公知の印刷方法を用いることができる。
【００３７】
第２実施形態の生理用ナプキン１Ｂの形成材料について説明する。第２実施形態の生理用ナプキン１Ｂについては、第１実施形態の生理用ナプキン１Ａの形成材料と同様である。
【００３８】
上述した本発明の第２実施形態の生理用ナプキン１Ｂを使用した際の作用効果について説明する。
第２実施形態の生理用ナプキン１Ｂの効果については、第１実施形態の生理用ナプキン１Ａの効果と異なる点について説明する。特に説明しない点は、第１実施形態の生理用ナプキン１Ａの効果と同様であり、第１実施形態の生理用ナプキン１Ａの効果の説明が適宜適用される。
【００３９】
ナプキン１Ｂは、図４に示すように、前方方向に拡開したＵ字状の装着目印８を有しており、拡開したＵ字状の装着目印８の前方側の両端部８ｂ，８ｂの先端が、周縁シール部７を越えて、本体部５の長手方向（Ｘ方向）の側縁５１に達する位置まで延びて形成されている。その為、図３に示すように、ナプキン１Ａをショーツ１０に取り付ける際に、着用者の両脚の内側それぞれと、装着目印８の両端部８ｂ，８ｂそれぞれとを接するように、ショーツ１０のクロッチ部１００上にナプキン１Ａを配し易い。このように、ナプキン１Ｂを用いれば、ショーツ１０のクロッチ部１００の中央とナプキン１Ａの排泄部領域Ａとを一致させることが更に容易にでき、体液漏れが起こり難い。
【００４０】
ナプキン１Ｂにおける装着目印８は、前方側に溝幅が広くなることから位置合せを容易にし易い。また、ナプキン１では、ウイング部１３を有しており、ウイング部１３を展開した状態では下着のクロッチ領域が隠されてしまうため装着ミスを生じ易いが、装着目印８を有することで装着ミスを抑制して漏れ易さを防ぐ事ができる。ナプキン１Ｂのウイング部１３が肌側面に折り返された状態であれば、実施形態１と同様の効果を奏することができることに加え、ウイング部１３の大部分は排泄部領域にあり、装着目印８はウイング部１３が折り返された状態で殆ど視認できるようにされていることで、装着目印８をより目立たせる事ができる。
【００４１】
次に、本発明の吸収性物品の第３実施形態である生理用ナプキン１Ｃについて、図６〜図７に基づいて説明する。
第３実施形態の生理用ナプキン１Ｃ（以下、「ナプキン１Ｃ」ともいう）については、第１実施形態の生理用ナプキン１Ａと異なる点について説明する。特に説明しない点は、第１実施形態の生理用ナプキン１Ａと同様であり、第１実施形態の生理用ナプキン１Ａの説明が適宜適用される。
【００４２】
ナプキン１Ｃは、図６に示すように、表面シート２側から平面視して、表面シート２に長手方向（Ｘ方向）の前方方向に拡開したＵ字状の装着目印８を有している。拡開したＵ字状の装着目印８は、中心線ＣＬに対して左右対称に形成されている。拡開したＵ字状の装着目印８は、図６に示すように、装着目印８の前方側の両端部８ｂ，８ｂが、前方寄りの折り線１１よりも前方に位置し、長手方向（Ｘ方向）両側部５ｓ，５ｓに向けて形成されており、ナプキン１Ｃにおいては、前方側の両端部８ｂ，８ｂのみならず、拡開したＵ字状の装着目印８全体が、前方寄りの折り線１１よりも前方に形成されている。
【００４３】
拡開したＵ字状の装着目印８は、図６に示すように、装着目印８の前方側の両端部８ｂ，８ｂが、吸収体４の前方側の前端部４ｂに達しない位置に形成されており、ナプキン１Ｃにおいては、装着目印８の前方側の両端部８ｂ，８ｂそれぞれが、ナプキン１Ｂの周縁シール部７の端部に及んでいる。詳述すると、装着目印８の前方側の両端部８ｂ，８ｂそれぞれの先端が、周縁シール部７を越えて、ナプキン１Ｃの幅方向（Ｙ方向）端部、即ち、本体部５の長手方向（Ｘ方向）の側縁５１に達する位置まで延びて形成されている。ナプキン１Ｃの拡開したＵ字状の装着目印８は、前方側の両端部８ｂ，８ｂそれぞれが印刷を施し形成され、両端部８ｂ，８ｂ以外の部分が溝加工を施して形成された目印である。図６に示すように、ナプキン１Ｃの装着目印８の内、溝加工を施して形成された部分は、その両先端が、吸収体４の側縁４１よりも内側に配されている。また、図６に示すように、溝加工を施して形成された部分の両先端それぞれよりも先端側の、印刷により形成された両端部８ｂ，８ｂは、その先端が本体部５の側縁５１に接する位置まで延在している。
【００４４】
ナプキン１Ｃは、図６に示すように、拡開したＵ字状の装着目印８の後方側の端部８ｃから中心線ＣＬに沿って、ナプキン１Ｃの中心に向かって延びる直線状の装着目印１４を有している。直線状の装着目印１４は、図６に示すように、ナプキン１Ｃの側部に形成された一対の防漏溝９の間に形成されている。直線状の装着目印１４は、拡開したＵ字状の装着目印８と同様に、印刷加工、又は溝加工を施して形成することができる。直線状の装着目印１４は、長手方向（Ｘ方向）の長さが１０〜２０ｍｍであることが好ましく、幅方向（Ｙ方向）の長さが２０〜２５ｍｍであることが好ましい。
【００４５】
第３実施形態の生理用ナプキン１Ｃの形成材料について説明する。第３実施形態の生理用ナプキン１Ｃについては、第１実施形態の生理用ナプキン１Ａの形成材料と同様である。
【００４６】
上述した本発明の第３実施形態の生理用ナプキン１Ｃを使用した際の作用効果について説明する。
第３実施形態の生理用ナプキン１Ｃの効果については、第１実施形態の生理用ナプキン１Ａの効果と異なる点について説明する。特に説明しない点は、第１実施形態の生理用ナプキン１Ａの効果と同様であり、第１実施形態の生理用ナプキン１Ａの効果の説明が適宜適用される。
【００４７】
ナプキン１Ｃは、図６に示すように、前方方向に拡開した拡開したＵ字状の装着目印８を有しており、拡開したＵ字状の装着目印８の前方側の両端部８ｂ，８ｂの先端が、本体部５の長手方向（Ｘ方向）の側縁５１に達する位置まで延びて形成されている。その為、図３に示すように、ナプキン１Ａをショーツ１０に取り付ける際に、着用者の両脚の内側それぞれと、装着目印８の両端部８ｂ，８ｂそれぞれとを接するように、ショーツ１０のクロッチ部１００上にナプキン１Ａを配し易い。このように、ナプキン１Ｃを用いれば、ショーツ１０のクロッチ部１００の中央とナプキン１Ａの排泄部領域Ａとを一致させることが更に容易にでき、体液漏れが起こり難い。
【００４８】
また、ナプキン１Ｃは、図６に示すように、ナプキン１Ｃの装着目印８の内、溝加工を施して形成された部分の両先端が、吸収体４の側縁４１よりも内側に配されているので、体液が溝を伝わって漏れる伝い漏れを防止することができる。また、図６に示すように、ナプキン１Ｃの装着目印８の内、印刷により形成された両端部８ｂ，８ｂは、その先端が本体部５の側縁５１に接する位置まで延在しているが、図７に示すように、第１実施形態のナプキン１Ａの目印のような溝でないため、側縁５１に接する位置まで延在していても、体液が溝を伝わって漏れる伝い漏れがそもそも発生しない。
【００４９】
また、ナプキン１Ｃは、図６に示すように、拡開したＵ字状の装着目印８の後方側の端部８ｃから直線状に延びる直線状の装着目印１４を有しているので、ナプキン１Ｃ装着時の目印となる目印８が強調されていることに加え、ミューラーリヤー錯視によって装着目印８が形成されている前方部を感じる事で使用者に安心感が与えられる。
【００５０】
本発明の吸収性物品は、上述の第１，第２，第３実施形態の生理用ナプキンに何ら制限されるものではなく、適宜変更可能である。また、上述の第１，第２，第３実施形態の生理用ナプキンにおける各構成要件は、本発明の趣旨を損なわない範囲で、適宜組み合わせて実施できる。
【００５１】
例えば、上述の第１，第２，第３実施形態の生理用ナプキン１Ａ，１Ｂ，１Ｃにおいては、拡開したＵ字状の装着目印８が、連続線状に形成されているが、図８に示すように、複数個の模様が間欠的に配されることにより形成されていてもよい。この模様は、印刷、溝加工を、単独又は併用して施し形成することができる。
【００５２】
上述の第１，第２，第３実施形態の生理用ナプキン１Ａ，１Ｂ，１Ｃそれぞれは、裏面シート３の外表面（非肌対向面）に、粘着材を介してナプキン１Ａ，１Ｂ，１Ｃそれぞれよりも大きい個装フィルム（不図示）が貼り付けられて、ナプキン１Ａ，１Ｂ，１Ｃそれぞれと個装フィルム（不図示）とが一体的に前後の折り線１１，１２で三つ折りされた個装体とすることができる。このように三つ折りされた個装体は、折畳まれている個装体の最初に開封される側、言い換えれば、前方寄りの折り線１１より前方の表面シート２に、拡開したＵ字状の装着目印８が施されている。その為、ナプキン１Ａ，１Ｂ，１Ｃそれぞれを個装フィルム（不図示）から取り出さず、手で触れないように、折り線１１よりも前方の部分だけを開いた状態で、ショーツ１０のクロッチ部１００上にナプキン１Ａを取り付けることができるので、衛生的である。
【００５３】
本発明の吸収性物品は、生理用ナプキン以外にも、例えば、失禁者用パッド、パンティーライナー等に好適に用いることができる。
【符号の説明】
【００５４】
１  生理用ナプキン（吸収性物品）
２  表面シート
３  裏面シート
４  吸収体
４ｂ  前方側の前端部
４ｃ  後方側の後端部
４１  吸収体の側縁
５  本体部
５ｓ  本体部の長手方向側部
５１  本体部の側縁
６  本体粘着部
７  周縁シール部
８  拡開したＵ字状の装着目印
８ｂ  前方側の端部
８ｃ  後方側の端部
９  防漏溝
１０  ショーツ
１００  クロッチ部
１１  前方寄りの折り線
１２  後方寄りの折り線
１３  ウイング部
１３１  ウイング部粘着部
１３２  ウイング部形成材
１３２ｄ  一側部（内側部），１３２ｅ  他側部（外側部）
１４  直線状の装着目印
【図１】
0005671296.tif 000002
【図２】
0005671296.tif 000003
【図３】
0005671296.tif 000004
【図４】
0005671296.tif 000005
【図５】
0005671296.tif 000006
【図６】
0005671296.tif 000007
【図７】
0005671296.tif 000008
【図８】
0005671296.tif 000009